(57)【要約】      （修正有）【課題】マルチ型レセプタクルコネクタ及びそこに適用されるプラグコネクタを提供する。【解決手段】レセプタクル絶縁体１２０；前記レセプタクル絶縁体に配設され、汎用プラグコネクタに対応する電気的接点部を提供するメインレセプタクルコンタクト１１１；前記メインレセプタクルコンタクトの両側にさらに設けられて追加接点部を提供するサブレセプタクルコンタクト１１２ａ,１１２ｂ；及び前記レセプタクル絶縁体の少なくとも一部を包むレセプタクルシェル１３０；を含み、前記サブレセプタクルコンタクトは、前記メインレセプタクルコンタクトと同じ接点高さで配列され、プラグコネクタの差込方向で前記メインレセプタクルコンタクトより相対的に内側に配置されたことを特徴とする。【選択図】図１
2015015192.tif 000002
【特許請求の範囲】
【請求項１】
レセプタクル絶縁体と、
前記レセプタクル絶縁体に配設され、汎用プラグコネクタに対応する電気的接点部を提供するメインレセプタクルコンタクトと、
前記メインレセプタクルコンタクトの両側にさらに設けられて追加接点部を提供するサブレセプタクルコンタクトと、
前記レセプタクル絶縁体の少なくとも一部を包むレセプタクルシェルとを含み、
前記サブレセプタクルコンタクトは、前記メインレセプタクルコンタクトと同じ接点高さで配列され、プラグコネクタの差込方向で前記メインレセプタクルコンタクトより相対的に内側に配置されたことを特徴とするマルチ型レセプタクルコネクタ。
【請求項２】
前記サブレセプタクルコンタクトは、前記メインレセプタクルコンタクトより相対的に短いことを特徴とする請求項１に記載のマルチ型レセプタクルコネクタ。
【請求項３】
前記サブレセプタクルコンタクトは、前記メインレセプタクルコンタクトの両側に配置されたそれぞれ少なくとも１つ以上のコンタクトであり、両側に配置されたコンタクトの個数は同一であるか又は異なることを特徴とする請求項１または請求項２に記載のマルチ型レセプタクルコネクタ。
【請求項４】
前記レセプタクルシェルは、
前記メインレセプタクルコンタクトとの接点のみが備えられた汎用プラグコネクタの過差込を防止するための第１ストッパと、
前記メインレセプタクルコンタクト及びサブレセプタクルコンタクトとの接点が備えられたマルチプラグコネクタの過差込を防止するための第２ストッパと、を備えることを特徴とする請求項１ないし請求項３のうちいずれか１項に記載のマルチ型レセプタクルコネクタ。
【請求項５】
前記第１ストッパは、プラグコネクタの差込方向で前記第２ストッパより相対的に前方に位置し、
前記マルチプラグコネクタは、前記第２ストッパを回避できる回避構造を有することを特徴とする請求項４に記載のマルチ型レセプタクルコネクタ。
【請求項６】
前記レセプタクルシェルは、
前記汎用プラグコネクタの締結を固定するための第１固定部材と、
前記マルチプラグコネクタの締結を固定するための第２固定部材と、を備えることを特徴とする請求項４または請求項５に記載のマルチ型レセプタクルコネクタ。
【請求項７】
前記第２固定部材は、前記レセプタクルシェルの上部で内側に突出した弾性片でなり、
前記マルチプラグコネクタの上部には前記弾性片に対応する孔構造を有することを特徴とする請求項４ないし請求項６のうちいずれか１項に記載のマルチ型レセプタクルコネクタ。
【請求項８】
前記メインレセプタクルコンタクトとサブレセプタクルコンタクトは、インサート成形方式で前記レセプタクル絶縁体内に収容されることを特徴とする請求項１ないし請求項７のうちいずれか１項に記載のマルチ型レセプタクルコネクタ。
【請求項９】
前記汎用プラグコネクタはマイクロＵＳＢプラグコネクタであることを特徴とする請求項１ないし請求項８のうちいずれか１項に記載のマルチ型レセプタクルコネクタ。
【請求項１０】
請求項１ないし請求項９のうちいずれか１項に記載のマルチ型レセプタクルコネクタのメインレセプタクルコンタクトとサブレセプタクルコンタクトにそれぞれ対応するメインプラグコンタクトとサブプラグコンタクトと、
前記メインプラグコンタクト及びサブプラグコンタクトを収容するプラグ絶縁体と、
前記プラグ絶縁体の少なくとも一部を包むプラグシェルとを含み、
前記サブプラグコンタクトは、前記メインプラグコンタクトと同じ接点高さで配列され、前記メインプラグコンタクトより相対的に前方に突出して配置されたことを特徴とするマルチ型プラグコネクタ。
【請求項１１】
前記サブプラグコンタクトは、前記メインプラグコンタクトより相対的に長いことを特徴とする請求項１０に記載のマルチ型プラグコネクタ。
【請求項１２】
前記サブプラグコンタクトは、前記メインプラグコンタクトの両側に配置されたそれぞれ少なくとも１つ以上のコンタクトであり、両側に配置されたコンタクトの個数は同一であるか又は異なることを特徴とする請求項１０または請求項１１に記載のマルチ型プラグコネクタ。
【請求項１３】
前記プラグシェルには、前記マルチ型レセプタクルコネクタに締結されて固定されるための固定孔が形成され、
前記マルチ型レセプタクルコネクタは前記固定孔に対応して内側に突出した弾性片構造を有することを特徴とする請求項１０ないし請求項１２のうちいずれか１項に記載のマルチ型プラグコネクタ。
【請求項１４】
前記マルチ型レセプタクルコネクタには、前記メインレセプタクルコンタクトとの接点のみが備えられた汎用プラグコネクタの過差込を防止するためにストッパが備えられ、
前記プラグシェルには、前記ストッパを回避できるように回避スロットが形成されることを特徴とする請求項１０ないし請求項１３のうちいずれか１項に記載のマルチ型プラグコネクタ。
【発明の詳細な説明】
【技術分野】
【０００１】
本発明は、コネクタに関し、より詳しくは、メインコンタクトと共にサブコンタクトをさらに備えることで、追加接続モジュールを提供することができるマルチ型レセプタクルコネクタ（receptacle connector）及びそこに適用されるプラグコネクタ（plug connector）に関する。
【背景技術】
【０００２】
近年、大衆に広く普及されている携帯電話、ノートパソコン、ＰＭＰ、携帯用ゲーム機、ＭＰ３プレーヤ、スマートフォンなどのような携帯用電子機器は、その種類と機能が徐々に多様になりつつある。特に、携帯用電子機器にはデータ通信のためのコネクタ装置が備えられる。このようなコネクタ装置は、携帯用電子機器内の印刷回路基板（ＰＣＢ）に実装されたレセプタクルコネクタ、及びそれに対応して締結されるプラグコネクタで構成され、外部器機とのデータ通信を行うか、又は、電源装置と連結して電源を供給するのに活用されている。
【０００３】
このようなコネクタ装置として、近年多く用いられるものがマイクロＵＳＢ（Micro-USB）である。これは５つのコンタクト、これをインサート成形で実装する絶縁体（insulator)、及び前記絶縁体を包むシェル（shell)で構成されている。
【０００４】
しかし、マイクロＵＳＢは、５つのコンタクトで構成される５ピン型のみであるため、その使用用途がＵＳＢ規格に準拠したコネクタの連結に限定されるという問題点がある。それ故に、小型の携帯用電子機器に追加的な接続モジュールを連結しようとする場合は、別途のコネクタを追加して用意しなければならず、不便である。
【発明の概要】
【発明が解決しようとする課題】
【０００５】
本発明は、上記問題点に鑑みてなされたものであり、メインコンタクトと共にサブコンタクトをさらに備えて追加接続モジュールを提供でき、従来のプラグコネクタとの互換適用が可能であって、且つ、不良接続を防止することができるマルチ型レセプタクルコネクタ及びそこに適用されるプラグコネクタを提供することを目的とする。
【課題を解決するための手段】
【０００６】
上記の課題を達成するため、本発明によるマルチ型レセプタクルコネクタは、レセプタクル絶縁体；前記レセプタクル絶縁体に配設され、汎用プラグコネクタに対応する電気的接点部を提供するメインレセプタクルコンタクト；前記メインレセプタクルコンタクトの両側にさらに設けられて追加接点部を提供するサブレセプタクルコンタクト；及び前記レセプタクル絶縁体の少なくとも一部を包むレセプタクルシェル；を含み、前記サブレセプタクルコンタクトは、前記メインレセプタクルコンタクトと同じ接点高さで配列され、プラグコネクタの差込方向で前記メインレセプタクルコンタクトより相対的に内側に配置されたことを特徴とする。
【０００７】
望ましくは、前記サブレセプタクルコンタクトは、前記メインレセプタクルコンタクトより相対的に短い。
【０００８】
望ましくは、前記サブレセプタクルコンタクトは、前記メインレセプタクルコンタクトの両側に配置されたそれぞれ少なくとも１つ以上のコンタクトであり、両側に配置されたコンタクトの個数は同一であるか又は異なり得る。
【０００９】
望ましくは、前記レセプタクルシェルは、前記メインレセプタクルコンタクトとの接点のみが備えられた汎用プラグコネクタの過差込を防止するための第１ストッパと、前記メインレセプタクルコンタクト及びサブレセプタクルコンタクトとの接点が備えられたマルチプラグコネクタの過差込を防止するための第２ストッパを備える。
【００１０】
望ましくは、前記第１ストッパは、プラグコネクタの差込方向で前記第２ストッパより相対的に前方に位置する。
【００１１】
望ましくは、前記レセプタクルシェルは、前記汎用プラグコネクタの締結を固定するための第１固定部材、及び前記マルチプラグコネクタの締結を固定するための第２固定部材を備える。
【００１２】
望ましくは、前記第２固定部材は、前記レセプタクルシェルの上部で内側に突出した弾性片でなり、前記マルチプラグコネクタの上部には前記弾性片に対応する孔構造を有する。
【００１３】
望ましくは、前記メインレセプタクルコンタクトとサブレセプタクルコンタクトは、インサート成形方式で前記レセプタクル絶縁体内に収容される。
【００１４】
望ましくは、前記汎用プラグコネクタはマイクロＵＳＢプラグコネクタである。
【００１５】
上記の課題を達成するため、本発明によるマルチ型プラグコネクタは、マルチ型レセプタクルコネクタのメインレセプタクルコンタクトとサブレセプタクルコンタクトにそれぞれ対応するメインプラグコンタクトとサブプラグコンタクト；前記メインプラグコンタクト及びサブプラグコンタクトを収容するプラグ絶縁体；及び前記プラグ絶縁体の少なくとも一部を包むプラグシェル；を含み、前記サブプラグコンタクトは、前記メインプラグコンタクトと同じ接点高さで配列され、前記メインプラグコンタクトより相対的に前方に突出して配置されたことを特徴とする。
【００１６】
望ましくは、前記サブプラグコンタクトは、前記メインプラグコンタクトより相対的に長い。
【００１７】
望ましくは、前記サブプラグコンタクトは、前記メインプラグコンタクトの両側に配置されたそれぞれ少なくとも１つ以上のコンタクトであり、両側に配置されたコンタクトの個数は同一であるか又は異なり得る。
【００１８】
望ましくは、前記プラグシェルは、前記マルチ型レセプタクルコネクタに締結されて固定されるための固定孔が形成され、前記マルチ型レセプタクルコネクタは前記固定孔に対応して内側に突出した弾性片構造を有する。
【発明の効果】
【００１９】
本発明によれば、レセプタクルコネクタのメインコンタクトと共にサブコンタクトをさらに備えることができるため、コネクタの空間を効率的に用いることができる。また、従来のプラグコネクタとの互換適用が可能であって、且つ、不良接続を防止することができる。それにより、携帯電話などの携帯用電子機器のインターフェースコネクタとして使用され、マイクロＵＳＢポートと所定の追加接続モジュールを同時に提供することができる。
【図面の簡単な説明】
【００２０】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明によるマルチ型レセプタクルコネクタの構成を示した分解斜視図である。
【図２】図１の絶縁体にインサート成形される前のコンタクトを示した斜視図である。
【図３】本発明によるマルチ型レセプタクルコネクタの正面を示した正面図である。
【図４】本発明によるマルチ型レセプタクルコネクタのコンタクトの配置状態を示した平面図である。
【図５】本発明によるマルチ型プラグコネクタの構成を示した分解斜視図である。
【図６】本発明によるマルチ型プラグコネクタの正面を示した正面図である。
【図７】本発明によるマルチ型プラグコネクタのコンタクトの配置状態を示した平面図である。
【図８】本発明によるマルチ型プラグコネクタの下面一部を示した部分斜視図である。
【図９】本発明によるマルチ型レセプタクルコネクタに汎用プラグコネクタを結合した状態を示した結合斜視図である。
【図１０】図９の結合状態を説明する図である。
【図１１】図９のＡ−Ａ’矢視図である。
【図１２】本発明によるマルチ型レセプタクルコネクタとプラグコネクタとを結合した状態を示した結合斜視図である。
【図１３】図１２の結合状態を説明する図である。
【図１４】図１２のＢ−Ｂ’矢視図である。
【発明を実施するための形態】
【００２１】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２２】
図１は本発明によるマルチ型レセプタクルコネクタの構成を示した分解斜視図であり、図２は図１の絶縁体にインサート成形される前のコンタクトを示した斜視図であり、図３は本発明によるマルチ型レセプタクルコネクタの正面を示した正面図であり、図４は本発明によるマルチ型レセプタクルコネクタのコンタクトの配置状態を示した平面図である。
【００２３】
図１ないし図４を参照すれば、本発明によるマルチ型レセプタクルコネクタ１００は、複数のコンタクト１１０が配設されたレセプタクル絶縁体１２０、及び前記レセプタクル絶縁体１２０の少なくとも一部を包んで遮蔽するレセプタクルシェル１３０を備える。
【００２４】
前記複数のコンタクト１１０は、インサート成形（insert molding）方式で前記レセプタクル絶縁体１２０の内部に成形されて収容される。このとき、前記複数のコンタクト１１０の配列を固定し、強度を補強するためにサポートプレート１２５がさらに備えられ得る。この場合、複数のコンタクト１１０とサポートプレート１２５をインサート成形金型に挿入して固定した後、インサート成形金型の内部にプラスチック樹脂を注入することで、インサート成形によって複数のコンタクト１１０が内部にモールディングされたレセプタクル絶縁体１２０を形成する。
【００２５】
前記複数のコンタクト１１０は、図２に示されたように、所定ピッチで配列されたメインレセプタクルコンタクト１１１、及び前記メインレセプタクルコンタクト１１１の両側にそれぞれ配列されたサブレセプタクルコンタクト１１２ａ、１１２ｂで構成される。
【００２６】
前記メインレセプタクルコンタクト１１１は、前記レセプタクル絶縁体１２０に配設され、汎用プラグコネクタ（例えば、マイクロＵＳＢ）に対応する電気的接点部を提供する。例えば、図４に示されたように、マイクロＵＳＢのピン規格を満たすように５ピンのコンタクトが一定ピッチで配列された形態で構成される。
【００２７】
前記サブレセプタクルコンタクト１１２ａ、１１２ｂは、前記メインレセプタクルコンタクト１１１の両側にさらに設けられて追加接点部を提供する。サブレセプタクルコンタクト１１２ａ、１１２ｂは、前記メインレセプタクルコンタクト１１１と別途に追加接続モジュールを連結しようとする場合に使用される。サブレセプタクルコンタクト１１２ａ、１１２ｂは、メインレセプタクルコンタクト１１１と同じ接点高さで配列され、プラグコネクタの差込方向でメインレセプタクルコンタクト１１１より相対的に内側に配置される。すなわち、サブレセプタクルコンタクト１１２ａ、１１２ｂはメインレセプタクルコンタクト１１１より相対的に短い。また、サブレセプタクルコンタクト１１２ａ、１１２ｂは、前記レセプタクル絶縁体１２０にメインレセプタクルコンタクト１１１が配置された後、残る空間を占めるようにメインレセプタクルコンタクト１１１の両側に配置されたそれぞれ少なくとも１つ以上のコンタクトである。このとき、サブレセプタクルコンタクト１１２ａ、１１２ｂは両側に同じ個数が配列されても、それぞれ異なる個数が配列されても良い。例えば、サブレセプタクルコンタクト１１２ａ、１１２ｂは、図４に示されたように、メインレセプタクルコンタクト１１１を中心に左側に３ピンのコンタクト１１２ａと右側に２ピンのコンタクト１１２ｂが一定ピッチで配列された形態で構成され得る。しかし、本発明はこれに限定されるものではなく、多様な形態に変形できることは自明である。
【００２８】
前記レセプタクルシェル１３０は、前記レセプタクル絶縁体１２０の一部を包んで遮蔽する役割をする。また、レセプタクルコネクタ１００に対応するプラグコネクタ２００との結合を補助する役割を果たす。
【００２９】
前記レセプタクルシェル１３０の上部には、一般的な汎用プラグコネクタの締結を固定するための第１固定部材１３１と、後述するマルチ型プラグコネクタ２００の締結を固定するための第２固定部材１３２が備えられる。
【００３０】
前記第１固定部材１３１は、一般的な汎用レセプタクルコネクタとプラグコネクタに適用される固定構造であって、汎用プラグコネクタのラッチ（latch）に対応する孔構造を有する。
【００３１】
前記第２固定部材１３２は、後述するマルチ型プラグコネクタ２００の締結を固定するため、レセプタクルシェル１３０の上部で内側に突出した弾性片である。前記マルチ型プラグコネクタ２００は、前記第２固定部材１３２に対応する孔構造を有し、相互結合することでレセプタクルコネクタ１００に差し込まれたプラグコネクタ２００を固定する。これはマルチ型レセプタクルコネクタ１００が従来の汎用レセプタクルコネクタより長い構造をなし、それに対応するマルチ型プラグコネクタ２００もより長い構造をなしているため、固定位置を内側に位置させてより安定的にレセプタクルコネクタとプラグコネクタとを締結固定させるためである。
【００３２】
前記レセプタクルシェル１３０の下部には、図３に示されたように、一般的な汎用プラグコネクタの過差込を防止するための第１ストッパ１３３、及び後述するマルチ型プラグコネクタ２００の過差込を防止するための第２ストッパ１３４が備えられる。
【００３３】
前記第１ストッパ１３３は、前記メインレセプタクルコンタクト１１１との接点のみが備えられた一般的な汎用プラグコネクタが結合される過程で汎用プラグコネクタが前記メインレセプタクルコンタクト１１１との接点範囲を超えて過度に差し込まれることを防止する。すなわち、第１ストッパ１３３は汎用プラグコネクタがメインレセプタクルコンタクト１１１と接点を成した後、さらに進むことを防止できる位置に突出した突起構造で形成される。このとき、前記マルチ型プラグコネクタ２００には、前記第１ストッパ１３３を回避できるように回避スロット２３５が形成されることが望ましい。
【００３４】
前記第２ストッパ１３４は、前記メインレセプタクルコンタクト１１１及びサブレセプタクルコンタクト１１２ａ、１１２ｂとの接点が備えられたマルチプラグコネクタ２００が結合される過程で、マルチプラグコネクタ２００が前記メインレセプタクルコンタクト１１１及びサブレセプタクルコンタクト１１２ａ、１１２ｂとの接点範囲を超えて過度に差し込まれることを防止する。
【００３５】
図５は本発明によるマルチ型プラグコネクタの構成を示した分解斜視図であり、図６は本発明によるマルチ型プラグコネクタの正面を示した正面図であり、図７は本発明によるマルチ型プラグコネクタのコンタクトの配置状態を示した平面図であり、図８は本発明によるマルチ型プラグコネクタの下面一部を示した部分斜視図である。
【００３６】
図５ないし図８を参照すれば、本発明によるマルチ型プラグコネクタ２００は複数のコンタクト２１０が配設されたプラグ絶縁体２２０、及び前記プラグ絶縁体２２０の少なくとも一部を包んで遮蔽するプラグシェル２３０を備える。
【００３７】
前記複数のコンタクト２１０は前記プラグ絶縁体２２０に挿入されて結合され、プラグ絶縁体２２０には複数のコンタクト２１０が挿入されて配列できるように多数のスロットが設けられ得る。
【００３８】
前記複数のコンタクト２１０は、前記マルチ型レセプタクルコネクタ１００のメインレセプタクルコンタクト１１１と対応するピッチで配列されたメインプラグコンタクト２１１、及び前記メインプラグコンタクト２１１の両側にそれぞれサブレセプタクルコンタクト１１２ａ、１１２ｂに対応するピッチで配列されたサブプラグコンタクト２１２ａ、２１２ｂで構成される。
【００３９】
前記メインプラグコンタクト２１１は前記プラグ絶縁体２２０に配設され、前記マルチ型レセプタクルコネクタ１００のメインレセプタクルコンタクト１１１に対応する接続ピンを提供する。例えば、図７に示されたように、マイクロＵＳＢのピン規格を満たすように５ピンのコンタクトが一定ピッチで配列された形態に構成することができる。
【００４０】
前記サブプラグコンタクト２１２ａ、２１２ｂは、前記マルチ型レセプタクルコネクタ１００のサブレセプタクルコンタクト１１２ａ、１１２ｂに対応する接続ピンを提供する。サブプラグコンタクト２１２ａ、２１２ｂは、前記メインプラグコンタクト２１１とは別途に追加接続モジュールを連結しようとする場合に使用される。サブプラグコンタクト２１２ａ、２１２ｂは、メインプラグコンタクト２１１と同じ接点高さで配列され、メインプラグコンタクト２１１より相対的に前方に突出して配置される。すなわち、サブプラグコンタクト２１２ａ、２１２ｂはメインプラグコンタクト２１１より相対的に長い。また、サブプラグコンタクト２１２ａ、２１２ｂは、前記プラグ絶縁体２２０にメインプラグコンタクト２１１が配置された後、残る空間を占めるようにメインプラグコンタクト２１１の両側に配置されたそれぞれ少なくとも１つ以上のコンタクトである。このとき、サブプラグコンタクト２１２ａ、２１２ｂは両側に同じ個数が配列されても、それぞれ異なる個数が配列されても良い。例えば、サブプラグコンタクト２１２ａ、２１２ｂは、図７に示されたように、メインプラグコンタクト２１１を中心に左側に３ピンのコンタクト２１２ａと右側に２ピンのコンタクト２１２ｂが一定ピッチで配列された形態で構成され得る。このような配置は、対応するマルチ型レセプタクルコネクタ１００のサブレセプタクルコンタクト１１２ａ、１１２ｂの配置によって変更される。しかし、本発明はこれに限定されるものではなく、多様な形態に変形できることは自明である。
【００４１】
前記プラグシェル２３０は、前記プラグ絶縁体２２０の一部を包んで遮蔽する役割をする。また、プラグコネクタ２００に対応するレセプタクルコネクタ１００との結合を補助する役割を果たす。
【００４２】
前記プラグシェル２３０は、前記レセプタクルコネクタ１００に差し込まれたとき、締結されて固定されるための固定孔２３２が備えられる。固定孔２３２は、前記レセプタクルコネクタ１００の上部で内側に突出した弾性片である固定部材に対応して結合できる孔構造を有し、相互結合することでレセプタクルコネクタ１００に差し込まれて固定される。これはマルチ型プラグコネクタ２００が従来の汎用プラグコネクタより長い構造をなし、それに対応するレセプタクルコネクタ１００もより長い構造をなしているため、固定位置を内側に位置させてより安定的にプラグコネクタがレセプタクルコネクタに締結固定できるようにするためである。
【００４３】
前記プラグシェル２３０の下部には、図６に示されたように、前記レセプタクルコネクタ１００に一般的な汎用プラグコネクタの過差込を防止するための第１ストッパ１３３に引っ掛からず回避できるように回避スロット２３５が備えられる。これにより、マルチ型プラグコネクタ２００が前記第１ストッパ１３３に引っ掛かることなく、メインプラグコンタクト２１１とサブプラグコンタクト２１２ａ、２１２ｂ共にレセプタクルコネクタ１００のメインレセプタクルコンタクト１１１とサブレセプタクルコンタクト１１２ａ、１１２ｂに接続されるようになる。
【００４４】
図９は本発明によるマルチ型レセプタクルコネクタに汎用プラグコネクタを結合した状態を示した結合斜視図であり、図１０は図９の結合状態を説明する図であり、図１１は図９のＡ−Ａ’矢視図である。また、図１２は本発明によるマルチ型レセプタクルコネクタとプラグコネクタとを結合した状態を示した結合斜視図であり、図１３は図１２の結合状態を説明する図であり、図１４は図１２のＢ−Ｂ’矢視図である。
【００４５】
以下、本発明によるレセプタクルコネクタの使用過程について説明する。
【００４６】
まず、図９ないし図１１を参照し、本発明によるマルチ型レセプタクルコネクタ１００に汎用プラグコネクタ３００が互換適用されて結合される場合を説明する。
【００４７】
前記レセプタクルコネクタ１００に汎用プラグコネクタ３００が差し込まれて締結されれば、図９及び図１１に示されたように、前記レセプタクルコネクタ１００の第１固定部材１３１には汎用プラグコネクタ３００のラッチ３１０が締結されて固定される。
【００４８】
また、前記レセプタクルコネクタ１００に差し込まれた汎用プラグコネクタ３００は、図１０及び図１１に示されたように、レセプタクルコネクタ１００に差し込まれたとき、前記レセプタクルコネクタ１００の第１ストッパ１３３によって阻止され、プラグコネクタ３００のコンタクトがサブレセプタクルコンタクト１１２ａ、１１２ｂに接触できる位置まで差し込まれることで、接触不良を引き起す過度な差込が防止される。
【００４９】
また、図１２ないし図１４を参照し、本発明によるマルチ型レセプタクルコネクタ１００とプラグコネクタ２００とが相互結合される場合を説明する。
【００５０】
前記レセプタクルコネクタ１００にプラグコネクタ２００が差し込まれて締結されれば、図１２及び図１４に示されたように、前記プラグコネクタ２００の固定孔２３２には前記レセプタクルコネクタ１００の第２固定部材１３２が締結されて固定される。
【００５１】
また、前記レセプタクルコネクタ１００に差し込まれたプラグコネクタ２００は、図１３及び図１４に示されたように、レセプタクルコネクタ１００に差し込まれたとき、前記レセプタクルコネクタ１００の第１ストッパ１３３を回避スロット２３５によって回避し、第２ストッパ１３４の位置まで差し込まれた後、第２ストッパ１３４によって阻止され、コネクタの破損を引き起こす過度な差込が防止される。
【００５２】
以上、本発明を限定された実施例と図面によって説明したが、本発明はこれによって限定されるものではなく、本発明が属する技術分野で通常の知識を持つ者によって本発明の技術思想と特許請求の範囲の均等範囲内で多様な修正及び変形が可能であることは言うまでもない。
【符号の説明】
【００５３】
１００        レセプタクルコネクタ
２００        プラグコネクタ
１１０        レセプタクルコンタクト
２１０        プラグコンタクト
１１１        メインレセプタクルコンタクト
２１１        メインプラグコンタクト
１１２ａ、１１１ｂ        サブレセプタクルコンタクト
２１２ａ、２１２ｂ        サブプラグコンタクト
１２０        レセプタクル絶縁体
２２０        プラグ絶縁体
１３０        レセプタクルシェル
２３０        プラグシェル
【図１】
2015015192.tif 000003
【図２】
2015015192.tif 000004
【図３】
2015015192.tif 000005
【図４】
2015015192.tif 000006
【図５】
2015015192.tif 000007
【図６】
2015015192.tif 000008
【図７】
2015015192.tif 000009
【図８】
2015015192.tif 000010
【図９】
2015015192.tif 000011
【図１０】
2015015192.tif 000012
【図１１】
2015015192.tif 000013
【図１２】
2015015192.tif 000014
【図１３】
2015015192.tif 000015
【図１４】
2015015192.tif 000016
【手続補正書】
【提出日】平成26年11月7日(2014.11.7)
【手続補正２】
【補正対象書類名】特許請求の範囲
【補正対象項目名】全文
【補正方法】変更
【補正の内容】
【特許請求の範囲】
【請求項１】
レセプタクル絶縁体と、
前記レセプタクル絶縁体に配設され、電気的接点部を提供することにより電気信号を伝送するメインレセプタクルコンタクトと、
前記メインレセプタクルコンタクトの両側にさらに設けられて追加的な電気的接点部を提供することにより、前記メインレセプタクルコンタクトとは異なる種類の電気信号を伝送するサブレセプタクルコンタクトと、
前記レセプタクル絶縁体の少なくとも一部を包むレセプタクルシェルとを含み、
前記レセプタクルシェルは、前記メインレセプタクルコンタクトとの接点のみが備えられた汎用プラグコネクタの過差込を防止するための第１ストッパと、前記メインレセプタクルコンタクト及びサブレセプタクルコンタクトとの接点が全て備えられたマルチプラグコネクタの過差込を防止するための第２ストッパと、を備え、
前記サブレセプタクルコンタクトは、前記メインレセプタクルコンタクトと同じ接点高さで配列され、前記メインレセプタクルコンタクトより相対的に短い内側に配置されたことを特徴とするマルチ型レセプタクルコネクタ。
【請求項２】
前記サブレセプタクルコンタクトは、前記メインレセプタクルコンタクトの両側に配置されたそれぞれ少なくとも１つ以上のコンタクトであり、両側に配置されたコンタクトの個数は同一であるか又は異なることを特徴とする請求項１に記載のマルチ型レセプタクルコネクタ。
【請求項３】
前記メインレセプタクルコンタクトとサブレセプタクルコンタクトは、インサート成形方式で前記レセプタクル絶縁体内に収容されることを特徴とする請求項１又は請求項２に記載のマルチ型レセプタクルコネクタ。
【請求項４】
請求項１ないし請求項３のうちいずれか１項に記載のマルチ型レセプタクルコネクタのメインレセプタクルコンタクトとサブレセプタクルコンタクトにそれぞれ対応するメインプラグコンタクトとサブプラグコンタクトと、
前記メインプラグコンタクト及びサブプラグコンタクトを収容するプラグ絶縁体と、
前記プラグ絶縁体の少なくとも一部を包むプラグシェルとを含み、
前記サブプラグコンタクトは、前記メインプラグコンタクトと同じ接点高さで配列され、前記メインプラグコンタクトより相対的に長く、
前記プラグシェルには、前記マルチ型レセプタクルコネクタの前記第１ストッパを回避できるように回避スロットが形成されることを特徴とするマルチ型プラグコネクタ。
【請求項５】
前記サブプラグコンタクトは、前記メインプラグコンタクトの両側に配置されたそれぞれ少なくとも１つ以上のコンタクトであり、両側に配置されたコンタクトの個数は同一であるか又は異なることを特徴とする請求項４に記載のマルチ型プラグコネクタ。
【請求項６】
レセプタクル絶縁体；前記レセプタクル絶縁体に配設され、電気的接点部を提供するメインレセプタクルコンタクト；前記メインレセプタクルコンタクトの両側にさらに設けられて追加的な電気的接点部を提供するサブレセプタクルコンタクト；前記レセプタクル絶縁体の少なくとも一部を包み、前記メインレセプタクルコンタクトとの接点のみが備えられた汎用プラグコネクタの過差込を防止するための第１ストッパと、前記メインレセプタクルコンタクト及びサブレセプタクルコンタクトとの接点が全て備えられたマルチプラグコネクタの過差込を防止するための第２ストッパとを備えるレセプタクルシェル；を含み、前記サブレセプタクルコンタクトは、前記メインレセプタクルコンタクトと同じ接点高さで配列され、前記メインレセプタクルコンタクトより相対的に短い、マルチ型レセプタクルコネクタと、
前記メインレセプタクルコンタクトとサブレセプタクルコンタクトにそれぞれ対応するメインプラグコンタクトとサブプラグコンタクト；前記メインプラグコンタクト及びサブプラグコンタクトを収容するプラグ絶縁体；前記プラグ絶縁体の少なくとも一部を包み、前記マルチ型レセプタクルコネクタの前記第１ストッパを回避できるように回避スロットが形成されたプラグシェル；を含み、前記サブプラグコンタクトは、前記メインプラグコンタクトと同じ接点高さで配列され、前記メインプラグコンタクトより相対的に長い、前記マルチ型レセプタクルコネクタに対応するマルチ型プラグコネクタと、
を含むマルチ型コネクタアセンブリー。
【請求項７】
前記レセプタクルシェルは、
前記汎用プラグコネクタの締結を固定するための第１固定部材と、
前記マルチプラグコネクタの締結を固定するための第２固定部材と、を備えることを特徴とする請求項６に記載のマルチ型コネクタアセンブリー。
【請求項８】
前記第２固定部材は、前記レセプタクルシェルの上部で内側に突出した弾性片でなり、
前記マルチプラグコネクタの上部には前記弾性片に対応する固定孔を有することを特徴とする請求項７に記載のマルチ型コネクタアセンブリー。
【請求項９】
前記汎用プラグコネクタはマイクロＵＳＢプラグコネクタであることを特徴とする請求項８に記載のマルチ型コネクタアセンブリー。